(57)【要約】      （修正有）【課題】魚から釣針を取り外す際、まず釣針をしっかり固定させた状態にすることで、釣針を取り外す作業中に、手加減によって釣針が外れてしまうことはなく、確実かつ容易に魚から釣針を取り外すことができる釣針外し具を提供する。【解決手段】把手部１１と、把手部先端部側に設けられた釣針係止固定部１４とを備え、上記係止固定部１４は、先端部方向に向かって拡開して配置され、釣針１６をガイドする一対のガイド部３７，３８と、一方のガイド部に形成された釣針係止部１９と、上記係止部１９に係止された釣針１６を固定しうる固定部２０とを有する。【選択図】図１
0003182851.tif 000002
【実用新案登録請求の範囲】
【請求項１】
把手部と、把手部先端部側に設けられた釣針係止固定部とを備え、上記釣針係止固定部は、先端部方向に向かって拡開して配置され、釣針をガイドする一対のガイド部と、一方のガイド部に形成された釣針係止部と、上記釣針係止部に係止された釣針を固定しうる固定部とを有することを特徴とする釣針外し具。
【請求項２】
上記一方のガイド部は細長板状に形成され、先端方向に向かって突出する鋭角部を有し、上記鋭角部の内方には釣針の第一の受け入れ辺部が形成され、上記係止部は上記第一の受け入れ辺部の基端部に設けられた凹部からなると共に、他方のガイド部は、上記第一の受け入れ辺部に対向して配置される第二の受け入れ辺部を有していることを特徴とする請求項１記載の釣針外し具。
【請求項３】
上記固定部は、上記第二の受け入れ辺部に連設され、上記凹部に係止された釣針を上記凹部内に押圧する押圧片部を有することを特徴とする請求項１記載の釣針外し具。
【請求項４】
上記他方のガイド部は、上記一方のガイド部の幅方向において対向して配置され、上記固定部は上記一方のガイド部の幅方向において、上記凹部内に配置されていることを特徴とする請求項１記載の釣針外し具。
【請求項５】
上記他方のガイド部は、板状に形成され、上記一方のガイド部に直交して配置されていることを特徴とする請求項４記載の釣針外し具。
【請求項６】
上記他方のガイド部は、金属ワイヤーにより形成されていることを特徴とする請求項４記載の釣針外し具。
【請求項７】
上記把手部は棒状に形成され、上記釣針係止固定部は把手部に固定された棒状延設部の先端部に設けられていることを特徴とする請求項１記載の釣針外し具。
【考案の詳細な説明】
【技術分野】
【０００１】
本考案は、釣上げた魚の口の中に引っ掛かった釣針を取り外す際に使用する釣針外し具に関するものである。
【背景技術】
【０００２】
釣りを趣味または娯楽とする歴史は江戸期以来続いており、今日においても、釣り専門誌や釣り番組、釣りゲーム等の影響もあり、釣りは老若男女問わず楽しめる趣味または娯楽として浸透している。
【０００３】
釣りを楽しむ一環として、様々な機能及びデザインを備えた釣竿やルアーが販売されており、日本メーカーの釣具は釣人の利便性、機能性のニーズに応えた世界トップクラスの水準であると言われている。
ところで、釣上げた魚から釣針を取り外す作業は、例えば、一方の手で魚を掴みつつ他方の手で釣針を引き抜く必要があることから容易ではなく、釣針に直接指で触れた場合には釣針が指に刺さる場合もあり、従来より、釣った魚から釣針を容易に取り外したい、という要請があった。
【０００４】
このような観点から、上記釣針取り外し具については、様々な発明または考案がなされている。例えば、把手部の先端に２本の棒状体を設けることにより、上記２本の棒状体の間に釣針を入れて把手部を回すことで釣針が外れるもの（例えば、特許文献１〜３参照）、また、棒状体の先端に筒状体を設け、上記筒状体の内部に釣針を通し、上記筒状体の内部及び先端部の２箇所で釣針を係止させて把手部を回すことで釣針が外れるもの（例えば、特許文献４参照）等が知られている。
【特許文献１】実用新案登録第３１７８３５５号公報
【特許文献２】実公平０７−０１３５０４号公報
【特許文献３】実開昭４９−０３７４６５号公報
【特許文献４】実用新案登録第３１５０３８１号公報
【考案の開示】
【考案が解決しようとする課題】
【０００５】
しかしながら、魚から釣針を取り外す際、釣針自体を棒状体または筒状体にしっかりと固定していないため、釣人の手加減如何では、釣糸や棒状体、または筒状体から釣針自体が外れてしまい、容易に釣針を外すことができない場合もあり、また、釣針を紛失してしまう等の不具合があった（特許文献１〜4）。
【０００６】
本考案は、このような従来からの不具合を解決するためのものであり、魚から釣針を取り外す場合、まず釣針をしっかり固定させた状態にすることで、釣針を取り外す作業中に、手加減によって釣針が外れてしまうことはなく、確実かつ容易に魚から釣針を取り外すことができる釣針外し具を提供することにある。
【課題を解決するための手段】
【０００７】
上記課題達成のため、請求項１記載の考案にあっては、把手部と、把手部先端部側に設けられた釣針係止固定部とを備え、上記釣針係止固定部は、先端部方向に向かって拡開して配置され、釣針をガイドする一対のガイド部と、一方のガイド部に形成された釣針係止部と、上記係止部に係止された釣針を固定しうる固定部とを有することを特徴とする。
【０００８】
請求項２記載の考案にあっては、上記一方のガイド部は細長板状に形成され、先端方向に向かって突出する鋭角部を有し、上記鋭角部の内方には釣針の第一の受け入れ辺部が形成され、上記係止部は上記第一の受け入れ辺部の基端部に設けられた凹部からなると共に、他方のガイド部は、上記第一の受け入れ辺部に対向して配置される第二の受け入れ辺部を有していることを特徴とする。
【０００９】
請求項３記載の考案にあっては、上記固定部は、上記第二の受け入れ辺部に連設され、上記凹部に係止された釣針を上記凹部内荷に押圧する押圧片部を有することを特徴とする。
【００１０】
請求項４記載の考案にあっては、上記他方のガイド部は、上記一方のガイド部の幅方向において対向して配置され、上記固定部は上記一方のガイド部の幅方向において、上記凹部内に配置されていることを特徴とする。
【００１１】
請求項５記載の考案にあっては、上記他方のガイド部は、板状に形成され、上記一方のガイド部に直交して配置されていることを特徴とする。
【００１２】
請求項６記載の考案にあっては、上記他方のガイド部は、金属ワイヤーにより形成されていることを特徴とする。
【００１３】
請求項７記載の考案にあっては、上記把手部は棒状に形成され、上記釣針係止固定部は把手部に固定された棒状延設部の先端部に設けられていることを特徴とする。
【考案の効果】
【００１４】
請求項１から４記載の考案にあっては、釣針係止固定部は、先端部方向に向かって拡開して配置され、釣針をガイドする一対のガイド部と、第一の受け入れ辺部の基端部に設けられた凹部からなる係止部と、一方のガイド部の幅方向において、上記凹部内に配置されると共に、上記第二の受け入れ辺部に連設され、上記凹部に係止された釣針を上記凹部内に押圧する押圧片部で固定しうる固定部とを有する。
したがって、魚から釣針を取り外す場合にはまず、釣針を上記係止部に容易に係止させ、上記押圧片部でしっかり固定させることができる。
その結果、例えば、釣針が魚へ深く刺さった場合であって、本考案に係る釣針外し具を使用して釣針を取り外す場合であっても、押圧片部により係止部内にしっかり固定されることから、釣針が外れてしまうことなく、確実かつ容易に魚から釣針を取り外すことができると共に、釣針を紛失することを防止できる。
【００１５】
請求項５記載の考案にあっては、上記他方のガイド部は、板状に形成され、上記一方のガイド部に直交して配置され、上記第二の受け入れ辺部に連設された押圧片部も板状に形成されていることから、押圧片部の押圧力も大きく、請求項１から４記載の考案の効果に加えて、比較的太く大きい釣針でも、上記係止部に確実に係止して、固定させた状態にすることが可能である。
その結果、例えば、３０ｃｍから５０ｃｍ程度の魚を釣るために使用した釣針でも、確実かつ容易に魚から釣針を取り外す場合の使用に適している。
【００１６】
請求項６記載の考案にあっては、上記他方のガイド部は、金属ワイヤーにより形成されていることから、請求項１から４記載の考案の効果に加えて、比較的細く小さい釣針を、上記係止部に確実に係止して、固定させた状態にすることが可能である。
その結果、例えば、１０ｃｍから３０ｃｍ程度の魚を釣るために使用した釣針でも、確実かつ容易に魚から釣針を取り外す場合の使用に適している。
【００１７】
請求項７記載の考案にあっては、上記把手部は棒状に形成され、上記釣針係止固定部は把手部に固定された棒状延設部の先端部に設けられていることにより、力を加えるために上記把手部の先端部を掴んで魚から釣針を取り外す場合でも、釣針に直接指で触れることはなく、また、魚の口の中に指を入れることもないため、釣針や魚の口内で指を傷つけることなく釣針を取り外すことができる。
【図面の簡単な説明】
【００１８】
【図１】本考案に係る釣針外し具の斜視図である。
【図２】本考案に係る釣針外し具の釣針係止固定部の構成部品を分解した状態を示す分解斜視図である。
【図３】本考案に係る釣針外し具を使用して魚の口内から釣針を取り外す操作を説明する斜視図である。
【図４】本考案に係る釣針外し具の他の実施例を示す斜視図である。
【図５】本考案に係る釣針外し具の他の実施例の釣針係止固定部の構成部品を分解した状態を示す分解斜視図である。
【考案を実施するための最良の形態】
【００１９】
以下、添付図面に示す実施の形態に基づき、本考案を詳細に説明する。
図１に示すように、本実施の形態に係る釣針外し具１０は、棒状に形成されたＡＢＳ（アクロニトリル−ブタジエン−スチレン共重合）樹脂製の把手部１１と、把手部１１の先端に接合された棒状の棒状延設部１２と、棒状延設部１２の先端側に設けられた釣針係止固定部１４とを備えている。
【００２０】
図２は、本考案に係る釣針外し具１０の釣針係止固定部１４の構成部材を分解した状態を示す分解斜視図である。
図１及び図２に示すように、釣針係止固定部１４は、先端部１５方向に向かって拡開して配置され、釣針１６をガイドする一対のガイド部３７、３８と、一方のガイド部３７に形成された釣針１６の釣針係止部１９と、他方のガイド部３８に設けられ、釣針係止部１９に係止された釣針１６を固定しうる固定部２０とを有している。
【００２１】
本実施の形態にあっては、棒状延設部１２の先端部側には径大部１３が形成され、一方のガイド部３７は径大部１３の上面部４２に軸方向に沿って植設されている。一方のガイド部３７は全体薄板状に形成され、基板部５０と、基板部５０の先端部側に形成された側面略三角形状の鋭角部２１とを有している。
【００２２】
基板部５０は、長さ方向一辺部５１は径大部１３から軸方向に沿って配置されると共に、他の長さ方向一辺部５２は一方のガイド部の高さｈの中間位置まで外方にやや突出して延設されている。
【００２３】
鋭角部２１は、軸方向に沿う外片部５３と、外片部５３の先端部１５から鋭角を以て傾斜して後退するように形成された第一の受け入れ片部２２とにより形成されている。第一の受け入れ片部２２の端部には、内方に切り欠かれて形成された凹部２４が形成されており、釣針係止部１９を構成している。
【００２４】
径大部１３には、一方のガイド部３７に直交して、他方のガイド部３８の取付面部２７が形成されており、取付面部２７には他方のガイド部３８の取付用のネジ穴３４が開設されている。
【００２５】
図１及び図２に示すように、棒状延設部１２の後端部５８には、ネジ穴３５が開設され、把手部１１の先端にネジ２８により固定されるように形成されている。
【００２６】
他方のガイド部３８は、側面逆Ｊ字状の板状に形成され、固定片部２６と、固定片部２６から折曲して延設された基片部５４と、基片部５４の先端から鋭角を以て後退して折曲部５５が形成され、固定時には、第一の受け入れ辺部２２に対向して配置される第二の受け入れ片部２５と、第二の受け入れ片部２５の先端部に形成され、固定部２０を形成する押圧片部２９とを有している。
第二の受け入れ片部２５及び押圧片部２９には、長さ方向に沿って楕円状のスリット３６が形成され、一対の押圧片３９、４０が形成されている。
固定片部２６には取付面部２７の取付用のネジ穴３３が開設されている。
【００２７】
図１に示すように、一方のガイド部の高さ寸法ｈと他方のガイド部の高さ寸法ｈ１は同一に形成されている。また、図２に示すように、一方のガイド部３７の鋭角部２１の角度αは、第二の受け入れ片部２５の折曲角度βと同一に形成されている。
【００２８】
他方のガイド部３８は、ネジ３２により固定片部２６を取付面部２７に固定されている。この場合、第二の受け入れ片部２５は、第一の受け入れ片部２２に対して平面視において直交して配置される。
この場合、図１に示すように、他方のガイド部３８の押圧片部２９は側面方向から見た場合、スリット３６内に配置されており、押圧片部２９は凹部２４の後端部付近に位置するように配設される。他方のガイド部３８及びネジ２８、３２は、ステンレス材により加工成型されている。
【００２９】
従って、他方のガイド部３８が径大部１３に固定された場合には、図１に示すように、第一の受け入れ片部２２及び第二の受け入れ片部２５が所定角度で開口する受け入れ部５７を形成する。
従って、釣針１６を係合させる場合には、釣針１６に対して受け入れ部５７を押し付ける。この場合、釣針１６は、第一の受け入れ片部２２及び第二の受け入れ片部２５にガイドされると共に、第二の受け入れ片部２５は、ネジ３２により固定された固定片部２６を回動中心として外方へ撓み、凹部２４の開口部５６を開放し、釣針１６を凹部２４内に収納する。
【００３０】
この場合、第二の受け入れ片部２５及び押圧片部２９は固定片部２６を回動中心として外方へ撓んでいることから、釣針１６を凹部２４内に収納した場合には、釣針１６により押圧変形された結果、バネ作用を奏し、釣針１６を凹部２４内方向に押圧する。この第二の受け入れ片部２５及び押圧片部２９のバネ作用により釣針１６は凹部２４内に確保される。
【００３１】
図３（ａ）から（ｄ）は、本考案に係る釣針外し具１０を使用して魚１８の口内から釣針１６を取り外す操作を説明する図である。
（ａ）は、魚１８の口内に釣針１６が刺さった状態を示す斜視図である。
（ｂ）−１は、釣針１６を凹部２４からなる釣針係止部１９に係止させ、固定させた状態を示す図である。
【００３２】
（ｂ）−２に示すように、まず釣針１６を第一の受け入れ辺部２２の基端部２３に当接させ、釣針外し具１０を魚１８の口内方向へ押し、固定部２０を構成する第二の受け入れ片部２５及び押圧片部２９を外方へ撓ませることにより、釣針１６は、凹部２４内に収納されると共に、収納後は第二の受け入れ片部２５の可撓性を有するバネ作用により凹部２４内に押圧固定される。
（ｃ）は、釣針１６を魚１８の口から取り外した直後の状態を示す斜視図である。釣針１６を確実に固定させた状態から、さらに魚１８の口内方向へ押すことにより、魚の口部内に突き刺さった釣針１６を抜出し、魚１８の口から取り外すことができる。
（ｄ）は、釣針１６を魚１８の口内から取り出した状態を示す図である。魚１８の口から取り外した釣針１６は、釣針外し具１０に確実に固定されている状態であるため、釣針１６や魚１８の口中に直接指で触れることなく、確実かつ容易に魚から釣針を取り外すことができる。
【００３３】
本実施の形態に係る釣針外し具１０にあっては、他方のガイド部３８は、板状に形成されていることにより、押圧片部２９は大きな押圧力を有することから大きなバネ作用が働き、比較的太く大きい釣針でも、釣針係止部１９に確実に係止して、固定させた状態にすることが可能である。
したがって、３０ｃｍから５０ｃｍ程度の魚１８、例えば、コショウダイやブダイ等の魚を釣るために使用する比較的大型の釣針１６でも、確実かつ容易に魚１８から取り外すことができる。
【００３４】
本実施の形態にあっては、図１から図３に示すように、釣針外し具１０は、釣針１６を魚１８から確実かつ容易に取り外すことができることに加え、釣人の利便性、機能性のニーズに応える様々な工夫が施されている。例えば、把手部１１は、外周表面に凹凸３０を設けることによる滑り止めの機能を有し、さらに長さ方向の一定範囲にかけて設けられ凹凸３０より深い凹形状の空間に、浮子、例えば発泡スポンジ３１備えていることにより、釣針外し具１０を海や川に落とした場合でも、浮力により浮かぶように構成されていることから、使用中の落下による紛失を防止することができる。
また、ＡＢＳ樹脂製であることにより、剛性、硬度、加工性等の機械的特性のバランスに優れ、かつ、表面の美感や印刷特性にも優れているため、釣人のニーズに応えた把手部１１を製造し易い。
【００３５】
さらに、棒状延設部１２及び一方のガイド部３７は、ダイキャスト成型されクロムメッキ処理が施されていることにより、金属光沢による表面の美感に優れ、高硬度、耐摩耗性、耐蝕性に優れている。
また、他方のガイド部３８及びネジ２８、３２は、ステンレス加工されていることにより、耐蝕性を有し、腐食しにくいため、釣りのような水周りの用途でも化学反応によって表面から変質または消耗することを抑制することができる。
【００３６】
図４は、本考案に係る釣針外し具の他の実施の形態を示す斜視図である。上記第一の実施の形態と異なる点のみを説明する。
本実施の形態に係る釣針外し具６０にあっては、第一の釣針外し具１０における他方のガイド部３８が板状に形成されていたのとは異なり、他方のガイド部６６は金属ワイヤーにより形成されている。
【００３７】
他方のガイド部６６は、金属ワイヤーにより全体略細長Ｕ字状に形成され、先端部に形成された一対の押圧片部６１、６１を有する直線状基部６２、６２と、直線状基部６２、６２の先端側において連設され、一方のガイド部３７の鋭角部２１の角度αと同一の角度γに折曲された第二の受け入れ片部６３とにより構成されている。
【００３８】
一方、本実施の形態にあっては、棒状延設部１２に形成された径大部１３の上面部には、一方のガイド部３７の両側に他方のガイド部６６の直線状基部６２、６２の後端部６５、６５が挿入固定される一対の孔部４１、４１が開設されている。
【００３９】
孔部４１、４１は、凹部２４の受け入れ部６４の略直下位置に設けられている。その結果、他方のガイド部６６が、孔部４１、４１に固定された場合には、押圧片部６１、６１は凹部２４の後端部付近に位置するように配設される。
【００４０】
従って、他方のガイド部６６が径大部１３に固定された場合には、図４に示すように、第一の受け入れ片部２２及び第二の受け入れ片部６３が所定角度で開口する受け入れ部６４を形成する。
その結果、釣針１６を係合させる場合には、釣針１６に対して受け入れ部６４を押し付ける。釣針１６は、第一の受け入れ片部２２及び第二の受け入れ片部６３にガイドされると共に、第二の受け入れ片部６３は、孔部４１、４１に固定された先端部６５、６５を回動中心として外方へ撓み、凹部２４の開口部５６を開放し、釣針１６を凹部２４内に収納する。
【００４１】
この場合、第二の受け入れ片部６３及び押圧片部６１、６１は後端部６５、６５を回動中心として外方へ撓んでいることから、釣針１６を凹部２４内に収納した場合には、釣針１６により押圧変形された結果、バネ作用を奏し、釣針１６を凹部２４内方向に押圧する。この押圧片部６１、６１のバネ作用により釣針１６は凹部２４内に確保される。
【００４２】
図４及び図５に示すように、他方のガイド部６６は、金属ワイヤーに形成されていることにより、比較的細く小さい釣針でも、押圧片部６１、６１は十分なバネ作用が働き、釣針係止部１９に確実に係止して、固定させた状態にすることが可能である。
【００４３】
したがって、本実施の形態に係る釣針外し具６０においては、他方のガイド部６６は金属ワイヤーで形成されており、第一の実施の形態の場合よりも撓む際の剛性は小さいことから、１０ｃｍから３０ｃｍ程度の魚１８、例えば、メバルやカワハギ、カサゴ等の魚を釣るために使用した釣針１６を確実かつ容易に魚１８から取り外す場合に適している。
【００４４】
本実施の形態によれば、他方のガイド部６６が金属ワイヤーにより形成されていることから、釣ろうとする魚の大きさによって、適切な釣針外し具を提供することができる。
また、第一の実施の形態に係る釣針外し具１０とは異なり、他方のガイド部３８よりも製造コストを低減して作成することができる。
【産業上の利用可能性】
【００４５】
従って、本考案に係る釣針外し具は、確実かつ容易に魚から釣針を取り外すことができ、釣人の利便性、機能性のニーズに応えることで、釣りを趣味または娯楽として広めることができるため、産業上の利用可能性を有している。
【符号の説明】
【００４６】
１０  釣針外し具
１１  把手部
１２  棒状延設部
１３  径大部
１４  釣針係止固定部
１５  先端部
１６  釣針
１８  魚
１９  釣針係止部
２０  固定部
２１  鋭角部
２２  第一の受け入れ片部
２３  基端部
２４  凹部
２５  第二の受け入れ片部
２６  固定片部
２７  取付面部
２８  ネジ
２９  押圧片部
３０  凹凸
３１  発泡スポンジ
３２  ネジ
３３  ネジ穴
３４  ネジ穴
３５  ネジ穴
３６  スリット
３７  一方のガイド部
３８  他方のガイド部
３９  押圧片
４０  押圧片
４１  孔部
４２  上面部
５０  基板部
５１  長さ方向一辺部
５２  他の長さ方向一辺部
５３  外片部
５４  基片部
５５  折曲部
５６  開口部
５７  受け入れ部
５８  後端部
６０  釣針外し具
６１  押圧片部
６２  直線状基部
６３  第二の受け入れ片部
６４  受け入れ部
６５  後端部
６６  他方のガイド部
ｈ  一方のガイド部の高さ
ｈ１  他方のガイド部の高さ
α  鋭角部の角度
β  第二の受け入れ片部の折曲角度
γ  角度
【図１】
0003182851.tif 000003
【図２】
0003182851.tif 000004
【図３】
0003182851.tif 000005
【図４】
0003182851.tif 000006
【図５】
0003182851.tif 000007